(57)【要約】【課題】利便性を確保した上で、留守中のピッキング或いはガラス破りによる侵入を確実に防止でき、しかも緊急脱出時に支障を来さない住宅用ドアシステムを得る。【解決手段】住宅用ドアシステム１０は、スマートキー１２、スマートキー制御部１４、屋外アンテナ部１６、屋内アンテナ部１８といった通信系と、スマートキー制御部１４によって制御され玄関ドア１３の施解錠を行う電動サムターン２０と、警報装置５４、外部通報装置５６、室内制御盤５８といった防犯系と、留守状態をセットするためのアンテナボタン１６Ａとから成る。外出時には、ドア閉止後、アンテナボタン１６Ａを一回押すと電動サムターン２０が施錠状態とされ、５秒以内に再度アンテナボタン１６Ａを押すと留守状態がセットされる。施錠状態かつ留守セット状態のときに電気信号に依らずに解錠されると、室内制御盤５８によって警報装置５４及び外部通報装置５６が作動する。【選択図】　　図１
2004092173.tif 000002
【特許請求の範囲】
【請求項１】
住宅用ドアを施錠及び解錠する施解錠手段と、
この施解錠手段を少なくとも解錠するための電子キーと、
外部から操作可能とされ、所定の留守設定操作が行われることにより留守状態のセットがなされる留守状態設定手段と、
屋内側及び屋外側の少なくとも一方に設けられ、警報及び通報の少なくとも一方を行うことが可能な警通報手段と、
前記施解錠手段が施錠状態とされかつ前記留守状態設定手段が留守状態にセットされているときにおいて、前記電子キーに依らずに当該施解錠手段が解錠された場合に、前記警通報手段を作動させる制御手段と、
を有することを特徴とする住宅用ドアシステム。
【請求項２】
前記電子キーは、固有の識別情報を送信することが可能な送信機及び受信機を含んで構成されており、
前記住宅用ドア側には、当該住宅用ドアの周辺の所定領域に前記電子キーに対し前記固有の識別情報の送信を要求するリクエスト情報を常時送信する送信機及び当該電子キーの送信機から送信されてきた当該固有の識別情報を受信する受信機を含み、当該リクエスト情報の到達圏内において当該電子キーとの間で行われる双方向通信により当該固有の識別情報と予め記憶された登録情報とを照合し、当該固有の識別情報と当該登録情報との一致が認証されている間は前記施解錠手段を解錠状態とし、当該固有の識別情報と当該登録情報との一致が認証されなくなったときには当該住宅用ドアの閉止後に当該施解錠手段を施錠状態とする認証手段が設けられている、
ことを特徴とする請求項１記載の住宅用ドアシステム。
【請求項３】
前記留守状態設定手段は、前記住宅用ドアの屋外側に設けられ、所定の留守設定操作がなされることにより留守状態をセットし、当該留守状態のときに前記電子キーを持って当該住宅用ドアに近づくことにより当該留守状態を解除する、
ことを特徴とする請求項１又は請求項２記載の住宅用ドアシステム。
【請求項４】
前記施解錠手段は、軸線回りに回転することにより施解錠する施解錠軸を備えており、
前記施解錠手段が施錠状態とされかつ前記留守状態設定手段が留守状態にセットされている場合に前記施解錠軸の回転動作を拘束する拘束手段を設けた、
ことを特徴とする請求項１乃至請求項３のいずれかに記載の住宅用ドアシステム。
【発明の詳細な説明】
【０００１】
【発明の属する技術分野】
本発明は、利便性と防犯性を考慮した住宅用ドアシステムに関する。
【０００２】
【従来の技術】
近年、住宅の玄関の利便性向上の観点から、所謂電気錠が使用されるようになってきている。例えば、屋外に居る家人が電子キーの送信ボタンを押すと、玄関ドアの錠が自動的に解錠されることで解錠動作を省くことができ、ドア閉止後所定時間が経過すると自動的に施錠されることで施錠動作を省くことができるといったもの等がある。
【０００３】
一方、ここ数年、ピッキング等によって玄関ドアを不正に解錠して屋内に侵入する犯罪が急増している。そのため、住宅の玄関には、利便性だけではなく、防犯性も要求される。ピッキング対策としては、例えば、メカキーの鍵穴にカバーをつけておき、侵入者が不正にカバーを外そうとすると、警報音が発せられたり、警備会社等に外部通報されるシステムを構築するといったものがある。しかし、これだけでは、明かり取り用に玄関ドア等に嵌め込まれているガラス等を破って、屋内側に手を伸ばし施解錠用のサムターンのつまみを回して解錠する侵入者に対しては効果が無い。そこで、サムターンを屋内側から取外すことができるようにして、家人が在宅のときにはサムターンを取外しておくという技術も提案されている。しかし、この技術の場合、取外したサムターンを紛失するおそれがあると共に、火事等、屋内からの緊急脱出時にサムターンを取り付けてから解錠しドアを開けることになるので、手間がかかり好ましくない。
【０００４】
また、玄関ドア等の住宅用ドアとの関係で防犯システムを構築するに際しては、家人の意思に基づいて防犯システムが作動されることが必要である。つまり、家人が家に居る場合において電子キーに依らずに機械的方法で玄関ドアが解錠されたときにまで、警報が発せられたり、外部通報がなされたのでは、甚だ不合理である。従って、より高い防犯性が要求されるのは、家人が家に居ない留守中のときである。
【０００５】
【発明が解決しようとする課題】
本発明は上記事実を考慮し、利便性を確保した上で、留守中のピッキング又はガラス破りによる侵入を確実に防止することができ、しかも緊急脱出時に支障を来さない住宅用ドアシステムを得ることが目的である。
【０００６】
【課題を解決するための手段】
請求項１記載の本発明に係る住宅用ドアシステムは、住宅用ドアを施錠及び解錠する施解錠手段と、この施解錠手段を少なくとも解錠するための電子キーと、外部から操作可能とされ、所定の留守設定操作が行われることにより留守状態のセットがなされる留守状態設定手段と、屋内側及び屋外側の少なくとも一方に設けられ、警報及び通報の少なくとも一方を行うことが可能な警通報手段と、前記施解錠手段が施錠状態とされかつ前記留守状態設定手段が留守状態にセットされているときにおいて、前記電子キーに依らずに当該施解錠手段が解錠された場合に、前記警通報手段を作動させる制御手段と、を有することを特徴としている。
【０００７】
請求項２記載の本発明に係る住宅用ドアシステムは、請求項１記載の発明において、前記電子キーは、固有の識別情報を送信することが可能な送信機及び受信機を含んで構成されており、前記住宅用ドア側には、当該住宅用ドアの周辺の所定領域に前記電子キーに対し前記固有の識別情報の送信を要求するリクエスト情報を常時送信する送信機及び当該電子キーの送信機から送信されてきた当該固有の識別情報を受信する受信機を含み、当該リクエスト情報の到達圏内において当該電子キーとの間で行われる双方向通信により当該固有の識別情報と予め記憶された登録情報とを照合し、当該固有の識別情報と当該登録情報との一致が認証されている間は前記施解錠手段を解錠状態とし、当該固有の識別情報と当該登録情報との一致が認証されなくなったときには当該住宅用ドアの閉止後に当該施解錠手段を施錠状態とする認証手段が設けられている、ことを特徴としている。
【０００８】
請求項３記載の本発明に係る住宅用ドアシステムは、請求項１又は請求項２記載の発明において、前記留守状態設定手段は、前記住宅用ドアの屋外側に設けられ、所定の留守設定操作がなされることにより留守状態をセットし、当該留守状態のときに前記電子キーを持って当該住宅用ドアに近づくことにより当該留守状態を解除する、ことを特徴としている。
【０００９】
請求項４記載の本発明に係る住宅用ドアシステムは、請求項１乃至請求項３のいずれかに記載の発明において、前記施解錠手段は、軸線回りに回転することにより施解錠する施解錠軸を備えており、前記施解錠手段が施錠状態とされかつ前記留守状態設定手段が留守状態にセットされている場合に前記施解錠軸の回転動作を拘束する拘束手段を設けた、ことを特徴としている。
【００１０】
請求項１記載の本発明によれば、家人が外出して家を留守にする場合、施解錠手段が施錠状態とされると共に、住宅用ドアの外部から留守状態設定手段に対し所定の留守設定操作が行われる。これにより、留守状態がセットされる。このとき、即ち施解錠手段が施錠状態とされかつ留守状態設定手段が留守状態にセットされているときに、電子キーに依らずにピッキングやガラス破りによって施解錠手段が解錠（不正解錠）されると、制御手段によって、屋内側及び屋外側の少なくとも一方に設けられた警通報手段が作動される。これにより、警報及び通報の少なくとも一方が行われる。
【００１１】
このように本発明によれば、留守中に電子キーに依らずに不正解錠された場合には警通報手段が作動されるため、ピッキング及びガラス破りのいずれに対しても功を奏す。従って、高い防犯性を確保することができる。
【００１２】
また、少なくとも施解錠手段の解錠操作は電子キーによって行うことが可能であるので、利便性も確保される。
【００１３】
さらに、従来の技術で説明したようにサムターンを取外す構成ではないため、火事等の緊急脱出時に支障を来すこともない。
【００１４】
請求項２記載の本発明によれば、住宅用ドア側に設けられた認証手段と家人が持つ電子キーとの間で行われる双方向通信によって、ハンドフリーで住宅用ドアの施解錠がなされる。
【００１５】
具体的には、住宅用ドア側に設けられた認証手段の送信機からは、常時リクエスト情報が送信されている。このリクエスト情報の到達圏内に電子キーを持った家人が入ると、電子キーの受信機がリクエスト情報を受信し、電子キーの送信機から固有の識別情報を送信する。送信された固有の識別情報は認証手段の受信機によって受信される。認証手段は受信した固有の識別情報が予め記憶された登録情報と一致するかどうかを照合し、両者が一致されていると認証されている間は、施解錠手段が解錠状態とされる。従って、屋外に居る家人は、手で解錠操作をすることなく住宅用ドアを開けて屋内に入ることができる。屋内に入った家人がリクエスト信号の到達圏外へ出れば、電子キーの送信機から固有の識別情報が送信されなくなり、それに伴い認証手段による認証が得られなくなるので、施解錠手段が自動的に施錠状態とされる。従って、屋内に入った家人は、手で施錠操作をする必要がない。よって、ハンドフリーで住宅用ドアの施解錠を行うことができる。
【００１６】
請求項３記載の本発明によれば、留守状態設定手段は住宅用ドアの屋外側に設けられており、所定の留守設定操作を行うことにより、留守状態にセットされる。そして、帰宅した電子キーを持った家人が住宅用ドアに近づくと、留守状態が自動的に解除される。従って、留守セット状態の解除操作をする必要がないので、両手が塞がっているとき等には非常に便利である。
【００１７】
請求項４記載の本発明によれば、施解錠手段は軸線回りに回転することにより施解錠する施解錠軸を備えており、施解錠手段が施錠状態とされかつ留守状態設定手段が留守状態にセットされている場合には拘束手段によって施解錠軸の回転動作が拘束される。従って、施錠状態でかつ留守状態のときに侵入者によって施解錠手段が不正解錠されるのを確実に防止することができる。
【００１８】
【発明の実施の形態】
以下、図１〜図３を用いて、本発明に係る住宅用ドアシステムの一実施形態について説明する。
【００１９】
図１には、本実施形態に係る住宅用ドアシステム１０の全体構成が示されている。この図に示されるように、住宅用ドアシステム１０は、家人が外出等する際に携帯される「電子キー」としてのスマートキー１２と、「住宅用ドア」としての玄関ドア１３内に配設されてスマートキー１２との間で双方向通信を行う「認証手段」としてのスマートキー制御部１４と、このスマートキー制御部１４と接続され屋外側に露出した状態で配設された屋外アンテナ部１６と、スマートキー１２と接続され屋内側に露出した状態で配設された屋内アンテナ部１８と、を含んで構成されている。
【００２０】
スマートキー１２は、「送信機」としての送信回路（図示省略）及び送信アンテナと、「受信機」としての受信回路（図示省略）及び受信アンテナと、マイクロコンピュータ（図示省略）と、を含んで構成されている。受信回路は、受信アンテナによって受信したスマートキー制御部１４からのリクエスト信号をマイクロコンピュータに入力するための回路である。マイクロコンピュータには、ＩＤコード（固有の識別情報）が予め記憶されている。送信回路は、ＩＤコードを所定周波数の電波に変調して外部に送信するための回路である。なお、図１には、送信アンテナと受信アンテナとを合わせて送受信アンテナ１２Ａとして略記している。
【００２１】
一方、スマートキー制御部１４には、前述したように、「認証手段の送信機及び受信機」としての屋外アンテナ部１６及び屋内アンテナ部１８がそれぞれ接続されている。屋外アンテナ部１６は、送信アンテナ及び送信回路並びに受信アンテナ及び受信回路を備えている。同様に、屋内アンテナ部１８は、送信アンテナ及び送信回路並びに受信アンテナ及び受信回路を備えている。これらの受信回路は、受信アンテナによって受信されたスマートキー１２からのＩＤコード信号をパルス信号に復調して受信信号を生成し、スマートキー制御部１４が備えるマイクロコンピュータに入力するための回路である。マイクロコンピュータには、リクエスト情報及び登録コードが予め記憶されている。送信回路は、スマートキー制御部１４が作動している間、常時、リクエスト信号を所定周波数の電波に変換し、送信アンテナから間欠的に出力するための回路である。さらに、屋外アンテナ部１６の表面には、「留守状態設定手段」としてのアンテナボタン１６Ａが設定されている。
【００２２】
上記により、リクエスト信号は、スマートキー制御部１４の送信アンテナから屋外側における玄関ドア１３の周辺の所定領域（リクエスト信号の到達圏内）Ａ１に出力されると共に、屋内側における玄関ドア１３の周辺の所定領域（リクエスト信号の到達圏内）Ａ２に出力される。そして、スマートキー１２の受信機によって当該リクエスト信号が受信されると、スマートキー１２の送信機からＩＤコード信号が送信され、スマートキー制御部１４の受信アンテナによって受信される。これにより、リクエスト信号の到達圏内（Ａ１及びＡ２）において、スマートキー１２とスマートキー制御部１４との間で、双方向通信が行われる構成である。
【００２３】
さらに、スマートキー制御部１４のマイクロコンピュータでは、入力されたＩＤコードと予め記憶（登録）された登録コードとを比較（照合）し、両者が一致する場合にはこれを認証して後述する電動サムターン２０に解錠信号を出力し、両者が一致しない場合にはこれを認証せず後述する電動サムターン２０に解錠信号を出力しないようになっている。
【００２４】
また、上述した玄関ドア１３には、「施解錠手段」としての一対の電動サムターン２０が上下に離間して配設されている。電動サムターン２０は上述したスマートキー制御部１４にそれぞれ接続されており、その作動が制御されている。さらに、玄関ドア１３の上側の電動サムターン２０の近傍には、電動サムターン２０が解錠された場合にラッチ状態とされて玄関ドア１３の閉止状態を維持するドアラッチ部２２が配設されている。
【００２５】
図２には、電動サムターン２０の概略構造が拡大して示されている。この図に示されるように、電動サムターン２０は、玄関ドア１３内に配設されてロック部材２４を進退させるロック機構部２６と、玄関ドア１３の内側に配設されてロック機構部２６を作動させる駆動機構部２８と、この駆動機構部２８の外部に設けられて手動で駆動機構部２８を作動させる際に使用される摘み３０と、玄関ドア１３の外側面に配設されたメカキー差し込み部３２と、を備えている。
【００２６】
駆動機構部２８内には、スマートキー制御部１４によってその駆動が制御されるモータ３４が配設されている。モータ３４の出力軸には「拘束手段」としてのウォーム３６が固定されており、更にウォーム３６には中間ギヤ３８が噛合っている。中間ギヤ３８は、第１ギヤ４０、クラッチ４２、及び第２ギヤ４４から成るクラッチ機構部４６の第１ギヤ４０と噛合っている。第２ギヤ４４は、摘み３０と一体に回転する「施解錠軸」としてのシャフト４８のギヤ形成部分４９と噛合っている。また、クラッチ４２は、モータ作動時には接続状態とされ、モータ非作動時には非接続状態とされて摘みによる手動作動可能状態とされるようになっている。さらに、クラッチ４２は、後述する留守状態がセットされた場合には作動状態とされ、モータ３４のウォーム３６がストッパとなってロック機構部２６を手動では操作できないようになっている。
【００２７】
図１に戻り、玄関ドア１３の屋内側の上部には、玄関ドア１３の開放動作に伴ってドア閉止方向への付勢力を蓄積するドアクローザ５０が取り付けられている。さらに、玄関ドア１３の外側面及び内側面の所定位置には、把手５２がそれぞれ取り付けられている。
【００２８】
上記に加え、本実施形態に係る住宅用ドアシステム１０は、「警通報手段」としての警報装置５４及び外部通報装置５６を備えている。警報装置５４は、玄関ドア１３の屋外側の所定位置に設置されており、作動することにより所定の警報音を発するようになっている。外部通報装置５６は、屋内側の所定位置に設置されており、作動することにより警備会社等に外部通報するようになっている。なお、これらの警報装置５４及び外部通報装置５６は、スマートキー制御部１４と接続された室内制御盤５８によってその作動が制御されている。
【００２９】
次に、図３を参照しつつ、本実施形態の作用並びに効果について説明する。
【００３０】
図３（Ａ）に示されるように、外出時、スマートキー１２を持った家人が玄関ドア１３に近づくと（ステップ１００）、「スマート認証」が行われる（ステップ１０２）。具体的には、スマートキー１２を持った家人がリクエスト信号の到達圏内Ａ２に進入すると、屋内アンテナ部１８から送信されてきたリクエスト信号がスマートキー１２の送受信アンテナ１２Ａに受信される。このため、スマートキー１２の送受信アンテナ１２ＡからＩＤコード信号が送信される。このＩＤコード信号が屋内アンテナ部１８に受信されると、スマートキー制御部１４によって、入力されたＩＤコードと予め登録された登録コードとが一致しているか否かが判断される。一致していれば認証され、電動サムターン２０に解錠信号が送られる（ステップ１０４）。これにより、一対の電動サムターン２０は解錠状態（即ち、クラッチ４２が接続状態とされると共に、モータ３４が逆転駆動してロック部材２４がドア内に退出された状態）とされ、玄関ドア１３を通過することができる（ステップ１０６）。
【００３１】
玄関ドア１３を通過したら、屋外アンテナ部１６のアンテナボタン１６Ａが一回押される（ステップ１１０）。これにより、一対の電動サムターン２０が施錠状態（即ち、クラッチ４２が接続状態とされると共に、モータ３４が正転駆動してロック部材２４がドア外へ進出された状態）とされる（ステップ１１２）。そして、再度、（家人の意思によって）アンテナボタン１６Ａが所定時間内（例えば、最初にアンテナボタン１６Ａを押してから５秒以内）に押されることにより（ステップ１１４）、留守状態がセットされる（ステップ１１６）。
【００３２】
留守状態がセットされると、スマートキー制御部１４を介して室内制御盤５８によって、警報装置５４及び外部通報装置５６が作動状態とされる。なお、アンテナボタン１６Ａを押してから所定時間内に再度アンテナボタン１６Ａが押されない場合は、警告音を発して留守状態にセットされていないことを、外出しようとしている家人に知らせたり、或いは、直接「留守状態にセットされていません」、「留守状態にセットして下さい」等のアナウンスが流れるようにしてもよい。
【００３３】
図３（Ｂ）に示されるように、留守中は、留守セット状態が維持されている（ステップ１１８）。従って、警報装置５４及び外部通報装置５６が作動状態にある。この状態において、侵入者がピッキングやガラス破り等によって、電動サムターン２０を解錠すると（ステップ１２０）、警報装置５４が作動して警報音が発せられると共に、外部通報装置５６が作動して警備会社等に外部通報がなされる（ステップ１２２）。従って、侵入者が屋内に侵入するのを阻止することができる。
【００３４】
図３（Ｃ）に示されるように、帰宅時、スマートキー１２を持った家人が玄関ドア１３に近づくと（ステップ１２４）、「スマート認証」が行われる（ステップ１２６）。具体的には、スマートキー１２を持った家人がリクエスト信号の到達圏内Ａ１に進入すると、屋外アンテナ部１６から送信されてきたリクエスト信号がスマートキー１２の送受信アンテナ１２Ａに受信される。このため、スマートキー１２の送受信アンテナ１２ＡからＩＤコード信号が送信される。このＩＤコード信号が屋外アンテナ部１６に受信されると、スマートキー制御部１４によって、入力されたＩＤコードと予め登録された登録コードとが一致しているか否かが判断される。一致していれば認証され、留守セット状態が解除される（ステップ１２８）。その後、電動サムターン２０に解錠信号が送られる（ステップ１３０）。これにより、一対の電動サムターン２０は解錠状態とされ、玄関ドア１３を通過することができる。玄関ドア１３を通過して玄関ドア１３を閉止した後、リクエスト信号到達圏内Ａ２から出ると、スマートキー１２からＩＤコード信号が送信されなくなるので、スマートキー制御部１４によって電動サムターン２０が自動的に施錠状態とされる。
【００３５】
このように本実施形態に係る住宅用ドアシステム１０では、外出時に留守状態をセットし、当該留守セット中に、スマートキー１２に依らずに（即ち、電気信号に依らずに）不正解錠された場合には警報装置５４及び外部通報装置５６を作動させる構成としたので、ピッキング及びガラス破りのいずれに対しても功を奏す。従って、高い防犯性を確保することができる。
【００３６】
また、本実施形態に係る住宅用ドアシステム１０では、スマートキー１２とスマートキー制御部１４とによる双方向通信により認証を行い、電動サムターン２０を施解錠するシステムであるため、ハンドフリーで施解錠動作を行うことができる。従って、高い利便性を確保することができる。
【００３７】
さらに、本実施形態に係る住宅用ドアシステム１０では、従来の技術で説明したようにサムターンを取外す構成ではないため、火事等の緊急脱出時に解錠に手間取る等の支障を来すこともない。
【００３８】
また、本実施形態に係る住宅用ドアシステム１０では、屋外アンテナ部１６のアンテナボタン１６Ａを続けて二回押すことにより、留守状態をセットすることができるので、操作性が良い。加えて、家人が帰宅した際には、スマートキー制御部１４による認証がなされると、自動的に留守セット状態が解除される。従って、留守セット状態の解除操作を行う必要がなく、両手が塞がっているとき等には非常に便利であり、より一層利便性を高めることができる。
【００３９】
さらに、本実施形態に係る住宅用ドアシステム１０では、電動サムターン２０が施錠状態とされかつ留守状態がセットされている場合には、クラッチ４２が接続状態とされシャフト４８の回転をウォーム３６で拘束するので、施錠状態でかつ留守状態のときに侵入者によって電動サムターン２０が不正解錠されるのを確実に防止することができる。その結果、本実施形態によれば、高い防犯性を実現することができる。
【００４０】
なお、上述した実施形態では、玄関ドア１６に対して本発明に係る住宅用ドアシステムを適用したが、これに限らず、勝手口ドア等、住宅用ドアであればすべて適用可能である。
【００４１】
また、上述した実施形態では、双方向通信によるハンドフリーシステムを採用したが、これに限らず、通常の電子キー（即ち、ボタン操作等により施錠及び解錠を行うキー等）を使用してもよい。
【００４２】
さらに、上述した実施形態では、屋外アンテナ部１６のアンテナボタン１６Ａを二回押すことにより留守状態がセットされるように構成したが、これに限らず、ステップ１１２を実行するための施錠用ボタンと、ステップ１１６を実行するための留守設定ボタンとを別個独立に設けてもよい。
【００４３】
また、上述した実施形態では、屋外側には警報装置５４を設定し、屋内側には外部通報装置５６を設定したが、これに限らず、いずれか一方だけを設置する構成を採ってもよい。さらに、警報音だけでなく、警報光を発するようにしてもよい。
【００４４】
【発明の効果】
以上説明したように、請求項１記載の本発明に係る住宅用ドアシステムは、屋内側及び屋外側の少なくとも一方に警報及び通報の少なくとも一方を行うことが可能な警通報手段を設けると共に、外部から操作可能とされ所定の留守設定操作が行われることにより留守状態のセットがなされる留守状態設定手段を設け、制御手段によって、施解錠手段が施錠状態とされかつ留守状態設定手段が留守状態にセットされているときにおいて、電子キーに依らずに施解錠手段が解錠された場合に、警通報手段を作動させることとしたので、利便性を確保した上で、留守中のピッキング又はガラス破りによる侵入を確実に防止することができ、しかも緊急脱出時に支障を来さない優れた効果を有する。
【００４５】
請求項２記載の住宅用ドアシステムは、請求項１記載の発明において、電子キーは、固有の識別情報を送信することが可能な送信機及び受信機を含んで構成されており、一方、住宅用ドア側には、住宅用ドアの周辺の所定領域に電子キーに対し固有の識別情報の送信を要求するリクエスト情報を常時送信する送信機及び電子キーの送信機から送信されてきた固有の識別情報を受信する受信機を含み、リクエスト情報の到達圏内において電子キーとの間で行われる双方向通信により固有の識別情報と予め記憶された登録情報とを照合し、固有の識別情報と登録情報との一致が認証されている間は施解錠手段を解錠状態とし、固有の識別情報と登録情報との一致が認証されなくなったときには住宅用ドアの閉止後に施解錠手段を施錠状態とする認証手段を設けたので、ハンドフリーで住宅用ドアの施解錠を行うことができ、その結果、高い利便性を実現することができるという優れた効果を有する。
【００４６】
請求項３記載の住宅用ドアシステムは、請求項１又は請求項２記載の発明において、上記留守状態設定手段は住宅用ドアの屋外側に設けられており、所定の留守設定操作がなされることにより留守状態をセットし、留守状態のときに電子キーを持って住宅用ドアに近づくことにより留守状態を解除することとしたので、利便性を一層向上させることができるという優れた効果を有する。
【００４７】
請求項４記載の本発明に係る住宅用ドアシステムは、請求項１乃至請求項３のいずれかに記載の発明において、施解錠手段は軸線回りに回転することにより施解錠する施解錠軸を備えており、施解錠手段が施錠状態とされかつ留守状態設定手段が留守状態にセットされている場合に施解錠軸の回転動作を拘束する拘束手段を設けたので、施錠状態でかつ留守状態のときに侵入者によって施解錠手段が不正解錠されるのを確実に防止することができ、その結果、高い防犯性を実現することができるという優れた効果を有する。
【図面の簡単な説明】
【図１】本実施形態に係る住宅用ドアシステムの全体構成を示す構成図である。
【図２】図１に示される電動サムターンの構造を概略的に示す正面図である。
【図３】本実施形態に係る住宅用ドアシステムのフローチャートである。
【符号の説明】
１０　　　住宅用ドアシステム
１２　　　スマートキー（電子キー）
１２Ａ　　　送受信アンテナ（送信機及び受信機）
１３　　　玄関ドア（住宅用ドア）
１４　　　スマートキー制御部（認証手段）
１６　　　屋外アンテナ部（送信機及び受信機）
１６Ａ　　　アンテナボタン（留守状態設定手段）
１８　　　屋内アンテナ部（送信機及び受信機）
２０　　　電動サムターン（施解錠手段）
３６　　　ウォーム（拘束手段）
４８　　　シャフト（施解錠軸）
５４　　　警報装置（警通報手段）
５６　　　外部通報装置（警通報手段）
５８　　　室内制御盤（制御手段）
【図１】
2004092173.tif 000003
【図２】
2004092173.tif 000004
【図３】
2004092173.tif 000005